(57)【要約】 【課題】  患者情報のレイアウトや、医用画像のフォーマットを自由に行える医用画像出力システムを実現すること。【解決手段】  変換装置Ｇ１のＣＰＵ１１は、コントローラＣ１から送信されるフォーマット情報と、診断装置Ｍ１から送信される医用画像データとを受信する。ＣＰＵ１１は、フォーマット情報、最大出力サイズ等の情報に基づいて、記録紙に描画する医用画像１コマの１コマ画像領域サイズを算出する。次いで、その１コマ画像領域サイズに合わせて医用画像データを拡大又は縮小し、その拡縮後の医用画像データと、当該医用画像データ中から取得した患者情報とをフォーマット情報に従って配置・合成したテンプレートデータを作成する。そして、ＣＰＵ１１は、通信装置１９を介してそのテンプレートデータをフィルム出力装置へ転送する。【選択図】図４
2006158647.tif 000002
【特許請求の範囲】
【請求項１】
受信した医用画像情報及び患者文字情報を所定のデータ形式に変換して転送する医用画像変換装置と、前記転送された所定のデータ形式の医用画像情報及び患者文字情報を記録紙上に画像形成する医用画像形成装置とを具備する医用画像出力システムにおいて、
前記医用画像変換装置は、
前記患者文字情報を画像データに変換する変換手段と、
前記受信された医用画像情報と、前記変換手段によりデータ変換された患者文字情報とを合成して、一の画像データであるテンプレート画像を作成する合成手段と、
前記合成手段により作成されたテンプレート画像を前記所定のデータ形成に変換して前記医用画像形成装置へ転送する転送手段と、を備え、
前記医用画像形成装置は、
前記転送手段により転送されたテンプレート画像を前記記録紙上に画像形成する画像形成手段を備えることを特徴とする医用画像出力システム。
【請求項２】
前記医用画像変換装置は、
前記医用画像情報及び患者文字情報の記録紙上への配置方法を表すフォーマット情報を指定する指定手段を更に備え、
前記合成手段は、
前記指定手段により指定されたフォーマット情報に従った配置方法で、前記受信された医用画像情報と、前記変換手段によりデータ変換された患者文字情報とを合成して、前記テンプレート画像を作成するフォーマット手段を有し、
前記転送手段は、
前記フォーマット手段により合成されたテンプレート画像を転送するフォーマット転送手段を有することを特徴とする請求項１に記載の医用画像出力システム。
【請求項３】
前記医用画像変換装置は、
前記医用画像形成装置が画像形成可能な前記記録紙上の画像領域を表す画像形成領域情報を取得する取得手段を更に備え、
前記合成手段は、
前記テンプレート画像を、前記取得手段により取得された画像形成領域情報に基づいた大きさに設定する第１のサイズ設定手段を有し、
前記転送手段は、
前記第１のサイズ設定手段により設定されたテンプレート画像を転送する第１のサイズ設定時転送手段を有することを特徴とする請求項１又は２に記載の医用画像出力システム。
【請求項４】
前記合成手段は、
前記テンプレート画像を、前記受信された医用画像情報の画像サイズに基づいた大きさに設定する第２のサイズ設定手段を有し、
前記転送手段は、
前記第２のサイズ設定手段により設定されたテンプレート画像を転送する第２のサイズ設定時転送手段を有し、
前記画像形成手段は、
前記第２のサイズ設定時転送手段により転送されたテンプレート画像を、画像形成可能な前記記録紙上の画像領域を表す画像形成領域情報に基づいて拡縮する拡縮手段と、
前記拡縮手段により拡縮されたテンプレート画像を前記記録紙上に画像形成する拡縮画像形成手段と、
を有することを特徴とする請求項１又は２に記載の医用画像出力システム。
【請求項５】
前記医用画像変換装置は、
前記画像形成領域情報を取得する領域情報取得手段と、
前記受信された医用画像情報を、前記画像形成領域情報に応じた縦横比に画像加工する画像加工手段と、
を更に備え、
前記第２のサイズ設定手段は、
前記画像加工手段により画像加工された医用画像情報と、前記変換手段によりデータ変換された患者文字情報とを合成して、前記テンプレート画像を作成する加工画像合成手段と、
を有することを特徴とする請求項４に記載の医用画像出力システム。
【発明の詳細な説明】
【技術分野】
【０００１】
本発明は、受信した医用画像情報及び患者文字情報を所定のデータ形式に変換して転送する医用画像変換装置と、前記所定のデータ形式の医用画像情報及び患者文字情報を記録紙上に画像形成する医用画像形成装置とを具備する医用画像出力システムに関する。
【背景技術】
【０００２】
従来から、ＣＴ（Computed Tomography）やＣＲ（Computed Radiography）、ＭＲＩ（Magnetic Resonance Imaging）、乳房撮影装置、超音波診断装置等といった様々な医用画像生成装置（以下、「診断装置」という。）によって撮影・生成された医用画像を、フィルムや記録紙上等に画像形成（描画）して出力する医用画像出力システムが知られている。
【０００３】
医用画像出力システムは、診断装置と、当該診断装置によって生成された医用画像のデータ（以下、「医用画像データ」という。）をＤＩＣＯＭ（Digital Imaging and Communications in Medicine）規格のデータに変換する医用画像変換装置（以下、「変換装置」と略す。）と、この変換された医用画像データのハードコピーを作成する医用画像形成装置（以下、「出力装置」という。）とを備えて構成される。
【０００４】
図１３（ａ）は、診断装置（例えば、ＣＴ）により生成された医用画像の一例である。同図に示すように、医用画像ＦＧには、例えば、被写体の断層画像である診断画像ＦＧ−１と、患者のＩＤ番号、氏名、性別及び年齢といった患者情報ＦＧ−２とが含まれている。
【０００５】
変換装置は、診断装置によって生成された医用画像データと、当該医用画像データから抽出した患者情報とにそれぞれデータ変換を行って出力装置へ転送する。このとき、変換装置は、横２コマ且つ縦２コマ（２×２）、横３コマ且つ縦４コマ（３×４）といった医用画像の配置方法を表すフォーマット情報をＤＩＣＯＭ規格に準拠した形式で出力装置へ送信する。
【０００６】
ここで、変換装置の一種として次のような確認配送装置が知られている。即ち、確認配送装置は、診断装置で生成された医用画像データ中の診断画像及び患者情報を出力装置に対して転送する際に、出力装置の設定情報（宛先装置情報やフォーマット情報等）に従って診断画像の拡大縮小率を算出する。そして、その拡大縮小率に応じて選択したフォント及び文字サイズによる患者情報を出力装置へ転送する（特許文献１参照）。
【０００７】
出力装置は、ＤＩＣＯＭ規格に則ったデータを受信して、そのデータに従って医用画像及び患者情報を記録紙上に描画する。図１３（ｂ）は、出力装置によって出力された記録紙Ｐの一例である。出力装置は、フォーマット情報に従って医用画像を記録紙Ｐの画像描画領域ＡＲ１００に“２×２”のフォーマットで配列し、文字描画領域ＡＲ２００に患者情報を描画する。
【特許文献１】特開２００２−１９０９３７号公報
【発明の開示】
【発明が解決しようとする課題】
【０００８】
ところで、一般に、出力装置が受信する患者情報は、ＪＩＳコード等の文字データであるため、出力装置は、当該文字データに従って患者情報の文字列を描画する。このとき、患者情報は、出力装置毎に予め定められた固定的なフォント及び文字サイズで描画（レイアウト）される。従って、記録紙上に拡縮されて描画された医用画像に対し、患者情報が大きすぎたり小さすぎたりする等して、医用画像とのバランスが悪くなり、患者情報が見にくくなってしまうことがあった。
【０００９】
特許文献１の手法を利用して、変換装置側でフォント及び文字サイズを指定することもが考えられるが、この場合、出力装置は、変換装置が送信するフォント及び文字サイズの情報に対応している必要がある。
【００１０】
また、患者情報には複数の項目があり、これらの項目のうちどの項目を描画するか否かは、出力装置側の仕様によって制限されてしまう。即ち、一般的な出力装置は、患者情報中の患者ＩＤ及び患者情報を必要最低限の項目として記録紙上に描画するが、患者情報の性別や年齢等を描画しない場合がある。
【００１１】
また、患者情報が描画される文字描画領域は、出力装置毎に予め定められているため、患者情報の文字数やフォント、文字サイズ次第では、その文字描画領域内に患者情報が収まらないことがあった。このように、患者情報を文字描画領域に描画する際、様々な制限が生じしてしまうため、その患者情報を所望のフォントや文字サイズで描画して、自由にレイアウトすることが難しかった。
【００１２】
また、上述したように出力装置は、変換装置から送信されたＤＩＣＯＭ規格に則ったフォーマット情報に応じて医用画像を画像描画領域に割り振って記録紙上に描画する。しかし、例えば、“３×４”のフォーマットに対応できない古いバージョンの出力装置があった場合、当該出力装置は、変換装置から送信されるフォーマット情報に対応できない。
【００１３】
また、医用画像の配置方法は、ＤＩＣＯＭ規格で規定された配置方法となってしまうため、例えば、１行目に２コマの医用画像、２行目に１コマの拡大した医用画像を配置するといったＤＩＣＯＭ規格以外の配置方法で、医用画像をフォーマットすることができなかった。
【００１４】
医用画像を自由にフォーマットするには、変換装置が独自のフォーマット情報（以下、このフォーマット情報を「カスタムフォーマット情報」という。）を生成する方策も考えられる。しかし、この手法の場合、出力装置も、そのカスタムフォーマット情報に対応しておかなければならない。このため、カスタムフォーマット情報に対応していない出力装置を備える医用画像出力システムでは、医用画像の自由なフォーマットができなかった。
【００１５】
本発明は、上述したような課題に鑑みて為されたものであり、その目的とすることころは、患者情報のレイアウトや、医用画像のフォーマットを自由に行える医用画像出力システムを実現することである。
【課題を解決するための手段】
【００１６】
以上の課題を解決するために、請求項１に記載の発明は、
受信した医用画像情報及び患者文字情報を所定のデータ形式に変換して転送する医用画像変換装置と、前記転送された所定のデータ形式の医用画像情報及び患者文字情報を記録紙上に画像形成する医用画像形成装置とを具備する医用画像出力システムにおいて、
前記医用画像変換装置は、
前記患者文字情報を画像データに変換する変換手段と、
前記受信された医用画像情報と、前記変換手段によりデータ変換された患者文字情報とを合成して、一の画像データであるテンプレート画像を作成する合成手段と、
前記合成手段により作成されたテンプレート画像を前記所定のデータ形成に変換して前記医用画像形成装置へ転送する転送手段と、を備え、
前記医用画像形成装置は、
前記転送手段により転送されたテンプレート画像を前記記録紙上に画像形成する画像形成手段を備えることを特徴としている。
【００１７】
請求項２に記載の発明は、請求項１に記載の医用画像出力システムであって、
前記医用画像変換装置は、
前記医用画像情報及び患者文字情報の記録紙上への配置方法を表すフォーマット情報を指定する指定手段を更に備え、
前記合成手段は、
前記指定手段により指定されたフォーマット情報に従った配置方法で、前記受信された医用画像情報と、前記変換手段によりデータ変換された患者文字情報と合成して前記テンプレート画像を作成するフォーマット手段を有し、
前記転送手段は、
前記フォーマット手段により合成されたテンプレート画像を転送するフォーマット転送手段を有することを特徴としている。
【００１８】
請求項３に記載の発明は、請求項１又は２に記載の医用画像出力システムであって、
前記医用画像変換装置は、
前記医用画像形成装置が画像形成可能な前記記録紙上の領域を表す画像形成領域情報を取得する取得手段を更に備え、
前記合成手段は、
前記テンプレート画像を、前記取得手段により取得された画像形成領域情報に基づいた大きさに設定する第１のサイズ設定手段を有し、
前記転送手段は、
前記第１のサイズ設定手段により設定されたテンプレート画像を転送する第１のサイズ設定時転送手段を有することを特徴としている。
【００１９】
請求項４に記載の発明は、請求項１又は２に記載の医用画像出力システムであって、
前記合成手段は、
前記テンプレート画像を、前記受信された医用画像情報の画像サイズに基づいた大きさに設定する第２のサイズ設定手段を有し、
前記転送手段は、
前記第２のサイズ設定手段により設定されたテンプレート画像を転送する第２のサイズ設定時転送手段を有し、
前記画像形成手段は、
前記第２のサイズ設定時転送手段により転送されたテンプレート画像を、画像形成可能な前記記録紙上の画像領域を表す画像形成領域情報に基づいて拡縮する拡縮手段と、
前記拡縮手段により拡縮されたテンプレート画像を前記記録紙上に画像形成する拡縮画像形成手段と、
を有することを特徴としている。
【００２０】
請求項５に記載の発明は、請求項４に記載の医用画像出力システムであって、
前記医用画像変換装置は、
前記画像形成領域情報を取得する領域情報取得手段と、
前記受信された医用画像情報を、前記画像形成領域情報に応じた縦横比に画像加工する画像加工手段と、
を更に備え、
前記第２のサイズ設定手段は、
前記画像加工手段により画像加工された医用画像情報と、前記変換手段によりデータ変換された患者文字情報とを合成して、前記テンプレート画像を作成する加工画像合成手段と、
を有することを特徴としている。
【発明の効果】
【００２１】
請求項１に記載の発明によれば、医用画像変換装置は、画像データに変換した患者文字情報と、医用画像情報とを合成してテンプレート画像を作成した後に、所定のデータ形式に変換して医用画像形成装置へ転送する。このため、医用画像形成装置は、単にテンプレート画像を記録紙上に画像形成すればよく、例えば、ＤＩＣＯＭ規格といった所定のデータ形式に対応した医用画像形成装置であれば、医用画像変換装置が転送するテンプレート画像の一画像データによって、医用画像情報及び患者文字情報を容易に画像形成できる。
【００２２】
また、例えば、フォントや文字サイズが指定された患者文字情報であっても、画像データに変換するため、その指定内容に応じた所望のレイアウトで患者文字情報の画像形成が可能となる。また、患者文字情報の文字数が多くなったとしても、その文字サイズを小さくすればよく、多くの患者文字情報を画像形成することも可能となる。
【００２３】
請求項２に記載の発明によれば、請求項１に記載の発明と同様の効果が得られるのは無論のこと、医用画像変換装置は、指定されたフォーマット情報に従った配置方法で医用画像情報と、画像データの患者文字情報とを合成してテンプレート画像を生成する。このため、所望のフォーマット情報を指定すれば、医用画像情報と、画像データに変換された患者文字情報とが当該フォーマット情報に従った配置方法で配置されたテンプレート画像が作成される。従って、例えば、ＤＩＣＯＭ規格に準拠しない配置方法のフォーマット情報が指定されたとしても、医用画像形成装置は転送されたテンプレート画像を画像形成すれば、当該フォーマット情報に基づいた配置方法で配置した医用画像情報及び患者文字情報が記録紙上に出力することができる。
【００２４】
請求項３に記載の発明によれば、請求項１又は２に記載の発明と同様の効果が得られるのは無論のこと、テンプレート画像の大きさを、画像形成領域情報に基づいた大きさに瀬手値して医用画像形成装置に転送する医用画像変換装置が実現される。従って、医用画像形成装置は、転送されたテンプレート画像をそのまま記録紙上に画像形成すればよい。
【００２５】
請求項４に記載の発明によれば、請求項１又は２に記載の発明と同様の効果が得られるのは無論のこと、医用画像変換装置は、テンプレート画像の大きさを、医用画像情報の画像サイズに基づいた大きさに設定して転送し、医用画像形成装置は、その転送されたテンプレート画像を画像形成領域情報に基づいて拡縮して画像形成する。従って、例えば、医用画像情報を画像形成領域情報に基づいて拡大する場合、医用画像形成装置が転送する医用画像形成装置が転送するテンプレート画像のデータ容量は、その拡大後のテンプレート画像より小さくなり、転送時のデータ容量を少なくできる。このため、医用画像変換装置と、医用画像形成装置のテンプレート画像の転送時間を削減できる。
【００２６】
請求項５に記載の発明によれば、請求項４に記載の発明と同様の効果が得られるのは無論のこと、医用画像変換装置は、画像形成領域情報に応じた縦横比に医用画像情報を画像加工して、その画像加工後の医用画像情報と、画像データに変換した患者文字情報とを合成して、テンプレート画像を作成する。このため、予め記録紙の画像形成可能な画像領域に合わせて医用画像情報を画像加工しておくことができる。
【発明を実施するための最良の形態】
【００２７】
以下、本発明の医用画像変換装置を変換装置及びコントローラで構成し、医用画像形成装置をフィルム出力装置に適用した場合の医用画像出力システムの実施形態について、図１〜図１２を参照して詳細に説明する。
【００２８】
〔システム構成〕
図１は、本実施形態における医用画像出力システム１００のシステム構成の一例を示す図である。同図によれば、医用画像出力システム１００は、診断装置Ｍ１から出力される医用画像をコントローラＣ１の指示に従って転送する変換装置Ｇ１と、診断装置Ｍ２から出力される医用画像データをコントローラＣ２の指示に従って転送する変換装置Ｇ２と、フィルム出力装置Ｆ１及びＦ２と、サーバＳとが所定の通信ネットワークＮを介して接続されて構成されている。
【００２９】
ユーザ（撮影者）は、診断装置Ｍ１，Ｍ２で撮影・生成された医用画像データをフィルム出力するか否かをコントローラＣ１，Ｃ２を用いて決定する。コントローラＣ１，Ｃ２には、フィルム１ページ毎のイメージ画像を表示部に表示出力させる。
【００３０】
ユーザは、コントローラＣ１，Ｃ２を操作して、医用画像の配置方法を設定して確定すると、診断装置Ｍ１又はＭ２で生成された医用画像が変換装置Ｇ１，Ｇ２においてデータ変換されて、予め設定されたフィルム出力装置Ｆ１及びＦ２の何れかに通信ネットワークを介して転送される。フィルム出力装置Ｆ１，Ｆ２は、変換装置Ｇ１，Ｇ２から送信されるテンプレートデータに基づいた画像を拡大又は縮小してフィルム上に画像形成する。
【００３１】
テンプレートデータは、ユーザにより設定された配置方法に従って医用画像と患者情報とを予を埋め込んでフォーマットした一つの画像データ、即ちテンプレート画像であり、ＤＩＣＯＭ規格に準拠したデータ形成で生成される。
【００３２】
サーバＳは、変換装置Ｇ１，Ｇ２でデータ変換された医用画像データやテンプレートデータを蓄積的に記憶管理するデータベース等を有して構成される。尚、サーバＳは、データベースに記憶した医用画像データ及びテンプレートデータに基づいた画像を表示出力できるビューワ等を更に備えることとしてもよい。
【００３３】
尚、診断装置Ｍ１と診断装置Ｍ２、コントローラＣ１とコントローラＣ２、変換装置Ｇ１と変換装置Ｇ２、フィルム出力装置Ｆ１とフィルム出力装置Ｆ２は、それぞれ同様の構成であるため、以下、診断装置Ｍ２、コントローラＣ２、変換装置Ｇ２及びフィルム出力装置Ｆ２の詳細な説明は省略する。
【００３４】
〔診断装置の構成〕
診断装置Ｍ１は、被写体を撮影して医用画像データ（医用画像情報であり、アナログ又はデジタルのビデオ信号）を生成する医用画像生成装置である。診断装置Ｍ１としては、Ｘ線を照射して撮影を行うと共に、当該撮影により輝尽性蛍光体プレートに記憶されたＸ線画像を読み取り、デジタルデータとして生成するＣＲやＣＴ、また、Ｘ線に限らずＭＲＩや超音波撮影装置等が適宜適用可能である。
【００３５】
診断装置Ｍ１は、制御部、撮影部、表示部、入力部及びＩ／Ｆ部等を備えて構成される。制御部は、撮影部により撮影された診断画像に、入力部から入力された患者ＩＤや氏名、性別、年齢等の患者情報（患者文字情報）を合成して医用画像データを生成してＩ／Ｆ部を介して変換装置Ｇ１及びコントローラＣ１へ送信する。
【００３６】
〔コントローラの構成〕
コントローラＣ１は、医用画像の配置方法の設定や、その設定に基づいて医用画像を配置した場合の医用画像のコマ位置を表すイメージ画像の表示出力等を行う、いわば変換装置Ｇ１のユーザインターフェイスとなる操作パネルである。尚、コントローラＣ１により指定手段が実現される。
【００３７】
図２は、コントローラＣ１の機能構成の一例を示すブロック図である。同図によれば、コントローラＣ１は、ＣＰＵ（Central Processing Unit）１０ｃと、表示部２０ｃと、入力部３０ｃと、Ｉ／Ｆ部４０ｃと、記憶装置５０ｃと、ＲＡＭ（Random Access Memory）６０ｃとがバス７０ｃに接続されて構成されている。
【００３８】
ＣＰＵ１０ｃは、入力部３０ｃから入力される操作信号に応じて記憶装置５０ｃに格納されたプログラムを読み出し、当該プログラムに従って処理を実行する。そして、処理結果を表示するための表示データを表示部２０ｃに出力し、当該処理結果を表示部２０ｃに表示させる。
【００３９】
表示部２０ｃは、ＣＲＴ（Cathode-ray Tube）やＬＣＤ（Liquid Crystal Display）等により構成され、ＣＰＵ１０ｃから入力される表示データに基づいて各種画面を表示出力する。
【００４０】
入力部３０ｃは、カーソルキー、テンキー及び各種ファンクションキー等を有するキーボードやマウス等のポインティングデバイスを備え、押下されたキーの押下信号や、マウスの位置信号等をＣＰＵ１０ｃに出力する。
【００４１】
Ｉ／Ｆ部４０ｃは、診断装置Ｍ１から出力される医用画像データを受信・復調したり、ＲＡＭ６０ｃに記憶されたフォーマット情報６２ｃ及びフィルムサイズ６４ｃを変換装置Ｇ１へ送信したりする機能部であり、例えば、ＲＳ２３２Ｃ等のシリアルインターフェイスや、セントロニクスなどのパラレルインターフェイス、ＵＳＢ等により構成さる。
【００４２】
記憶装置５０ｃは、例えば、ＨＤＤ（Hard Disk Device）により構成されるデータの読み書き可能な記憶媒体を備えた機能部であり、各種プログラムやデータを記憶している。
【００４３】
ＲＡＭ６０ｃは、ＣＰＵ１０ｃが実行する各種プログラムや、これらプログラムの実行に係るデータ等を一時的に保持する記憶領域である。図２によれば、ＲＡＭ６０ｃは、フォーマット情報６２ｃと、フィルムサイズ６４ｃとを格納している。
【００４４】
フォーマット情報６２ｃは、医用画像をフィルム上にどのようコマ配置で配置するかという医用画像の配置方法や、患者情報のフォント及び文字サイズを等の設定情報であり、ユーザにより設定される。ＣＰＵ１０ｃは、表示部２０ｃに所定の入力フォームを表示させ、ユーザの入力部３０ｃの操作に従ってフォーマット情報６２ｃを指定・設定する。この入力フォームは、例えば、“２×２”や“３×３”といった“横コマ数×縦コマ数”の数値形式で医用画像の配置方法を入力させるものであってもよいし、医用画像を表す所定のアイコンの移動によってその配置をグラフィカルに入力させるものであってもよい。尚、コントローラＣ１のＣＰＵ１０ｃ、表示部２０ｃ及び入力部３０ｃにより指定手段が実現される。
【００４５】
図３は、フォーマット情報６２ｃに従って医用画像を配置した際の、フォーマット例を示す図である。例えば、“２×２”という配置方法を表すフォーマット情報６２ｃでは、医用画像ＰＣ１〜ＰＣ４が図３（ａ）のように配置される。また、“３×３”という配置方法を表すフォーマット情報６２ｃによって、医用画像ＰＣ１〜ＰＣ９が同図（ｂ）のように配置される。
【００４６】
また、“一行目に３コマ、２行目に２コマ”医用画像を配置するという配置方法を表すフォーマット情報６２ｃでは、医用画像ＰＣ１〜ＰＣ５が同図（ｃ）のように配置される。このように、医用画像の配置方法は、コントローラＣ１によって適宜指定することができる。
【００４７】
フィルムサイズ６４ｃは、医用画像を画像形成させるフィルムのサイズ情報であり、ユーザにより設定される。コントローラＣ１のＣＰＵ１０ｃは、ユーザの指示入力に従って、フォーマット情報６２ｃとフィルムサイズ６４ｃとを変換装置Ｇ１へＩ／Ｆ部４０ｃを介して送信する。尚、フォーマット情報６２ｃ及びフィルムサイズ６４は、コントローラＣ１で設定されることとしたが、例えば、診断装置Ｍ１で設定可能としてもよい。
【００４８】
〔フィルム出力装置の構成〕
フィルム出力装置Ｆ１は、変換装置Ｇ１から転送されたＤＩＣＯＭ規格に準拠したデータに基づいた画像を記録紙であるフィルム上に画像形成して出力する医用画像形成装置であり、制御部、記憶部、画像メモリ、露光部、現像部、通信部、排出部等を備えて構成される。フィルムは、ＰＥＴ（ポリエチレンテレフタレート）等の支持体上に、感光性及び感熱性の感光材料を含有する乳剤が塗布されて、感光層が形成されたものである。
【００４９】
このフィルムは、制御部の制御に従って搬送部によって各構成部へ搬送される。露光部は、フィルム上にレーザ光を照射して露光を行い、変換装置Ｇ１から転送されたデータに基づく画像の潜像を形成し、現像部は、露光後のフィルムを加熱して露光により形成された潜像を可視化（現像）する。そして、現像されて排出されたフィルムが排出部から排出される。尚、医用画像形成装置をフィルム出力装置に適用することとしたが、例えば、レーザープリンタやインクジェットプリンタ等、種々の画像形成装置に適用することとしてよい。
【００５０】
〔変換装置の構成〕
変換装置Ｇ１は、診断装置Ｍ１から出力される医用画像データを１データずつ読み込んで、その医用画像データをＤＩＣＯＭ規格に則ってデータ変換して蓄積した後に、予め設定されているフィルム出力装置へ転送する。
【００５１】
図４は、変換装置Ｇ１の機能構成の一例を示すブロック図である。同図によれば、変換装置Ｇ１は、制御部１、記憶装置３、入力Ｉ／Ｆ部５及び電源部７がバス９に接続されて構成される。
【００５２】
記憶装置３は、光学的、磁気的にデータの読み書きを行う記憶媒体を備えた機能部であり、例えば、ＨＤＤ等により構成される。
【００５３】
入力Ｉ／Ｆ部５は、診断装置Ｍ１から送信された医用画像データを受信する機能部であり、例えば、ＲＳ２３２Ｃ等のシリアルインターフェイスや、セントロニクスなどのパラレルインターフェイス、ＵＳＢ等により構成さる。電源部７は、変換装置Ｇ１の各部に電力を供給する。
【００５４】
制御部１は、変換装置Ｇ１におけるデータ処理やデータ通信等の統括的な管理・制御を行い、ＣＰＵ１１、メモリ１３、通信装置１５、ＩＤＥ１７及びシリアルインターフェイス１７を有して構成される。
【００５５】
ＣＰＵ１１は、記憶装置３に格納されたプログラムを読み出し、当該プログラムに従って処理を実行する。より具体的には、コントローラＣ１から送信されたフォーマット情報をシリアルインターフェイス１７を介して受信し、また、記憶装置３に記憶された医用画像データをＩＤＥ１５を介して取得する。次いで、これらのデータを用いてテンプレートデータを作成した後に、通信装置１９を介してフィルム出力装置へ転送する。
【００５６】
メモリ１３は、ＣＰＵ１１が実行する各種プログラムや、これらプログラムの実行に係るデータ等を一時的に保持する記憶領域である。
【００５７】
〔第１実施形態〕
次に、医用画像出力システム１００の第１実施形態について説明する。図５（ａ）は、第１実施形態における記憶装置３のデータ構成の一例を示す図である。同図（ａ）によれば、記憶装置３は、第１医用画像転送プログラム３０と、医用画像テーブル３２とを記憶している。
【００５８】
医用画像転送プログラム３０は、第１実施形態に係る第１医用画像転送処理（図７参照）を実現するためのプログラムである。医用画像テーブル３２は、診断装置Ｍ１から送信された医用画像データを蓄積的に記憶するデータテーブルである。
【００５９】
図５（ｂ）は、メモリ１３のデータ構成の一例を示す図である。同図（ｂ）によれば、メモリ１３は、最大出力サイズ１３ａ、１ピクセルサイズ１３ｂ、患者情報設定項目１３ｃ、患者情報１３ｄ、フォーマット情報１３ｅ、フィルムサイズ１３ｆ、１コマ画像領域サイズ１３ｇ及びテンプレートデータ１３ｈを記憶している。
【００６０】
ＣＰＵ１１は、最大出力サイズ１３ａ、１ピクセルサイズ１３ｂ、患者情報設定項目１３ｃ、患者情報１３ｄ、フォーマット情報１３ｅ、フィルムサイズ１３ｆ及び１コマ画像領域サイズ１３ｇに基づいてテンプレートデータ１３ｈを作成する。テンプレートデータ１３ｈは、医用画像データ及び患者情報１３ｄをフォーマット情報１３ｅに基づいた配置して合成した一の画像データ、即ち、テンプレート画像である。
【００６１】
〔変換装置の具体的な動作〕
ここで、変換装置Ｇ１のテンプレートデータ１３ｈを作成して、フィルム出力装置へ転送するまでの第１医用画像転送処理について、図６を参照しつつ図７のフローチャートを用いて説明する。
【００６２】
先ず、ＣＰＵ１１は、第１医用画像転送処理を開始すると、予めフィルム出力装置に設定されたフィルム毎の最大出力サイズ１３ａと、１ピクセルサイズ１３ｂとを当該フィルム出力装置から取得する（ステップＳ１）。
【００６３】
最大出力サイズ１３ａは、画像形成領域情報であり、フィルム毎の医用画像及び患者情報を描画可能な最大領域の縦辺及び横辺のピクセル数で表される。１ピクセルサイズ１３ｂは、フィルム出力装置が画像形成する際の１ドットの大きさである。尚、ＣＰＵ１１は、ステップＳ１の処理により取得手段及び領域情報取得手段を実現する。
【００６４】
そして、ＣＰＵ１１は、患者情報設定項目１３ｃを決定する（ステップＳ３）。患者情報設定項目１３ｃは、フォルムに描画する患者情報の項目の種類や、その描画順序、行数、フォント及び文字サイズ等、患者情報の描画に関する設定情報である。ＣＰＵ１１は、例えば、ＩＤ番号や氏名といった患者情報の項目の出力順序や、最大出力サイズ１３ａの横辺に応じて改行した際の行数を患者情報設定項目１３ｃとして決定する。尚、この患者情報設定項目１３ｃは、コントローラＣ１においてユーザにより設定されて、フォーマット情報等と共に転送されることとしてもよい。
【００６５】
ステップＳ３の処理後、ＣＰＵ１１は、診断装置Ｍ１から送信される医用画像データを入力Ｉ／Ｆ部５を介して受信し、その医用画像データを記憶装置３の医用画像テーブル３２に蓄積記憶させる（ステップＳ５）。
【００６６】
続いて、ＣＰＵ１０は、患者情報１３ｄの取得を行う（ステップＳ７）。具体的には、医用画像テーブル３２に記憶されている医用画像データ中に含まれる文字列の文字認識をＯＣＲやパターン認識等によって行って、その認識結果からＩＤ番号、氏名、性別、年齢及び病院管理番号等を取得する。尚、患者情報１３ｄの取得方法は、例えば、医用画像データからＩＤ番号を取得して、そのＩＤ番号をサーバＳに照会して、当該サーバＳから他の患者情報の項目を得るようにしてもよい。
【００６７】
そして、シリアルインターフェイス１７を介してコントローラＣ１から送信されるフォーマット情報及びフィルムサイズを取得して、メモリ１３のフォーマット情報１３ｅ及びフィルムサイズ１３ｆとしてそれぞれ記憶する（ステップＳ９）。
【００６８】
ＣＰＵ１１は、フォーマット情報１３ｅ、フィルムサイズ１３ｆ等を用いて、次の式（１）〜（７）から画像描画領域ＡＲ１と文字描画領域ＡＲ２とを算出する（ステップＳ１１）。
【００６９】
画像間隔ＳＰ＝画像間隔［実寸値］÷１ピクセルサイズ          ・・・（１）
トリム幅Ｗ＝トリム幅［実寸値］÷１ピクセルサイズ            ・・・（２）
文字サイズＣＳ（縦）＝文字サイズ［実寸値］÷１ピクセルサイズ・・・（３）
文字描画領域ＡＲ２（横）
＝最大出力サイズ１３ａ（横）［ピクセル数］              ・・・（４）
文字描画領域ＡＲ２（縦）
＝文字サイズＣＳ（高さ）［ピクセル数］×文字行数        ・・・（５）
画像描画領域ＡＲ１（横）
＝最大出力サイズ１３ａ（横）−（（トリム幅×２×横コマ数）
＋（画像間隔ＳＰ×（横コマ数−１）））  ・・・（６）
画像描画領域ＡＲ１（縦）
＝最大出力サイズ１３ａ（縦）−（トリム幅Ｗ×２×縦コマ数）
＋（画像間隔ＳＰ×（縦コマ数−１））−文字描画領域ＡＲ２（縦）・・・（７）
【００７０】
尚、画像間隔ＳＰは、医用画像間の間隔であり、トリム幅Ｗは、医用画像の周囲を囲むの縁の幅である。また、画像間隔、トリム幅及び文字サイズの実寸値（長さ）は、予めユーザによって初期設定され、また、式（１）〜（７）によって算出される値は、全てピクセル数となる。また、式（４）〜（７）で用いる最大出力サイズ１３ａは、フィルムサイズ１３ｆのフィルムにフィルム出力装置が画像形成可能な最大出力サイズである。
【００７１】
ＣＰＵ１１は、ステップＳ１１において画像描画領域ＡＲ１及び文字描画領域ＡＲ２とを算出した後、１コマ画像領域サイズ１３ｇを式（８）及び（９）を用いて算出する（ステップＳ１３）。ここで、１コマ画像領域サイズ１３ｇとは、フィルム上に１つの医用画像を描画する際の、その描画エリアの大きさ（ピクセル数）である。
【００７２】
１コマ画像領域サイズ１３ｇ（横）
＝画像描画領域ＡＲ１（横）÷横コマ数・・・（８）
１コマ画像領域サイズ１３ｇ（縦）
＝画像描画領域ＡＲ１（縦）÷縦コマ数・・・（９）
【００７３】
ＣＰＵ１１は、ステップＳ１３において算出した１コマ画像領域サイズ１３ｇを算出した後、医用画像テーブル３２に記憶された医用画像データを、当該１コマ画像領域サイズ１３ｇまで拡大又は縮小する画像加工を行う（ステップＳ１５）。
【００７４】
そして、患者情報１３ｄの文字データフォーマット情報１３ｅに従ったフォント及び文字サイズの画像データに変換する（ステップＳ１７）。このように、文字データである患者情報１３ｄを画像データに変換することで、フィルム出力装置では、単に画像データである患者情報を画像形成すればよい。このため、フィルム出力装置の仕様に制限されることなく、患者情報のフォントや文字サイズのレイアウトの変更が容易になる。
【００７５】
ＣＰＵ１１は、画像データの患者情報と、拡縮後の医用画像データとをテンプレートデータ１３ｈ内に埋め込んでフォーマットし、ＤＩＣＯＭ規格に準拠した画像データであるテンプレートデータ１３ｈを作成する（ステップＳ１９）。ここでＣＰＵ１１が作成するテンプレートデータ１３ｈの大きさは、フィルムサイズ１３ｆのフィルムにフィルム出力装置が画像形成可能な最大出力サイズに合わせた大きさに設定される。尚、このステップＳ１７〜Ｓ２１のＣＰＵ１１の処理により、変換手段、合成手段、フォーマット手段、フォーマット転送手段及び第１のサイズ設定手段が実現される。
【００７６】
次いで、ＣＰＵ１０は、転送手段及び第１のサイズ設定時転送手段として、テンプレートデータ１３ｈを所定のフィルム出力装置に送信した後に（ステップＳ２１）、第１医用画像転送処理を終了する。
【００７７】
一方、フィルム出力装置Ｆ１は、変換装置Ｇ１から送信されたテンプレートデータを受信して（ステップＳ２０１）、当該データに基づいた画像をフィルム上に画像形成して出力する（ステップＳ２０３）。尚、フィルム出力装置Ｆ１によって画像形成手段が実現される。
【００７８】
以上、第１実施形態によれば、変換装置は、診断装置において生成された医用画像データと、当該データに含まれる患者情報を、フィルム出力装置へ転送する際に、フィルム出力装置の仕様や、医用画像データの大きさ、出力する患者情報の文字のフォント及び文字サイズなどの様々な情報を元に、医用画像データと、画像データに変換した患者情報とを１つの画像データ（テンプレートデータ１３ｈ）内に埋め込んで、フィルム出力装置へ転送する。
【００７９】
このため、例えば、図３（ｃ）に示したようなＤＩＣＯＭ規格に準拠しないコマ配置での医用画像を出力させる場合、予めその配置で医用画像データをテンプレートデータ内に埋め込んでおけばよい。これより、フィルム出力装置は、単に一の画像データのテンプレートデータに基づいて画像形成すればよいため、当該フィルム出力装置毎のコマ配置可能なフォーマットの仕様に制限されることがない。従って、所望のフォーマット情報１３ｅを指定しておけば、自由なフォーマットで医用画像を配置して出力することができる。
【００８０】
また、文字データである患者情報を、画像データに変換してからテンプレートデータに埋め込むため、例えば、患者情報の文字数が多くなった場合は、行数を増やしたり、文字サイズを縮小したり、フォントを変更する等して、患者情報のレイアウトを自由に行うことができる。また、患者情報として出力する項目を、ＩＤ番号及び氏名といった基本的な項目に捕らわれず、例えば、性別、年齢の他に、生年月日や既往症、コメント等、ユーザの好みや、診断に必要な情報等を設定した出力することも可能となる。これにより、フィルム出力装置の仕様に依存することなく、患者情報のレイアウト変更が可能となる。従って、フィルム出力装置のバージョンやフォーマット情報への対応の可否、患者情報の出力項目の制限等、フィルム出力装置の仕様に依存することなく、医用画像を出力する医用画像出力システム１００が実現される。
【００８１】
また、医用画像データを拡縮する際に、最大出力サイズ１３ａ及びフィルムサイズ１３ｂによっては、その医用画像データを縮小する場合がある。この場合、変換装置Ｇ１で医用画像データを予め縮小しておくため、変換装置Ｇ１からフィルム出力装置へ転送するテンプレートデータ１３ｈのデータ容量を削減することが可能となる。
【００８２】
〔第２実施形態〕
次に、本発明を適用した第２実施形態における医用画像出力システム１００を図８〜図１２を用いて説明する。尚、以下の説明において、上述した第１実施形態における医用画像出力システム１００と同一の構成には、同一の符号を付してその説明を省略する。
【００８３】
〔変換装置の構成〕
図８は、第２実施形態における記憶装置３のデータ構成の一例を示す図である。同図によれば、記憶装置３は、第２医用画像転送プログラム３４と、医用画像テーブル３２とを記憶している。第２医用画像転送プログラム３４は、第２実施形態の係る第２医用画像転送処理（図１２参照）を実現するためのプログラムである。
【００８４】
図９は、第２実施形態におけるメモリ１３のデータ構成の一例を示す図である。同図によれば、メモリ１３は、最大出力サイズ１３ａ、１ピクセルサイズ１３ｂ、患者情報設定項目１３ｃ、患者情報１３ｄ、フォーマット情報１３ｅ、フィルムサイズ１３ｆ、１コマ画像領域サイズ１３ｇ、受信画像サイズ１３ｎ、送信画像サイズ１３ｍ、拡縮比率１３ｐ及び実寸テンプレートデータ１３ｑを記憶している。
【００８５】
ＣＰＵ１１は、第１実施形態と同様に、メモリ１３に記憶されている種々の情報を用いて、１コマ画像領域サイズ１３ｇを算出した後に、実寸テンプレートデータ１３ｑを作成する。第１実施形態では、最大出力サイズ１３ａに応じた大きさのテンプレートデータ１３ｈを作成して、そのテンプレートデータ１３ｈに医用画像データを拡縮したが、第２実施形態では、医用画像データの大きさに合わせて実寸テンプレートデータ１３ｑを作成する。
【００８６】
受信画像サイズ１３ｎは、受信した医用画像データの画像サイズであり、送信画像サイズ１３ｍは、フィルム出力装置へ送信する医用画像データの画像サイズであり、それぞれピクセル数で表される。ＣＰＵ１１は、この受信画像サイズ１３ｎと、送信画像サイズ１３ｍとにより拡縮比率１３ｐを算出し、当該拡縮比率１３ｐで医用画像データを拡縮して、実寸テンプレートデータ１３ｑを作成する。
【００８７】
〔変換装置の具体的な動作〕
次に、第２実施形態における変換装置Ｇ１の実寸テンプレートデータ１３ｑを作成して、フィルム出力装置に転送する第２医用画像出力処理について、図１０及び１１を参照しつつ、図１２のフローチャートを用いて説明する。
【００８８】
先ず、ＣＰＵ１１は、第２医用画像転送処理を開始すると、第１実施形態の第１医用画像転送処理のステップＳ１〜Ｓ１３と同一の処理を行う。
【００８９】
そして、ステップＳ１３において算出した１コマ画像領域サイズ１３ｇと、受信した医用画像データの画像サイズである受信画像サイズ１３ｎ（ピクセル数）とから、拡縮比率１３ｐを算出する（ステップＳ１１５）。拡縮比率１３ｐは、式（８）及び（９）で算出した１コマ画像領域サイズ１３ｇの縦横比に医用画像データを調整するための比率である。
【００９０】
ＣＰＵ１１は、受信した医用画像データの横辺を固定し、その固定した横辺に対した縦辺の比が、１コマ画像領域サイズ１３ｇの縦横比と同一となるような拡縮比率１３ｐを算出する。そして、当該拡縮比率１３ｐで医用画像データを縦方向に調整することで、１コマ画像領域サイズ１３ｇの縦横比と同一比の医用画像データを生成する。
【００９１】
ここで、拡縮比率１３ｐの算出方法を説明する。先ず、図１０（ａ）のように１コマ画像領域サイズの横辺をＸ、縦辺をＹとし、受信画像サイズ１３ｎの横辺をｘ１、縦辺をｙ１、送信画像サイズ１３ｍの横辺をｘ２、縦辺をｙ２として、次の式（１０）〜（１１）を用いて、送信画像サイズ１３ｍを算出する。
【００９２】
先ず、式（１０）及び（１１）を用いて、医用画像データの横辺を基準として、送信画像サイズ１３ｍの縦辺のピクセル数を算出する。
送信画像サイズ１３ｍ（横）［ｘ２］
＝受信画像サイズ（横）［ｘ１］・・・（１０）
送信画像サイズ１３ｍ（縦）［ｙ２］
＝１コマ画像領域サイズ１３ｇ（縦）［Ｙ］
×送信画像サイズ１３ｍ（横）［ｘ２］
÷１コマ画像領域サイズ１３ｇ（横）［Ｘ］・・・（１１）
【００９３】
そして、式（１２）を用いて、送信画像サイズ１３ｍ及び１コマ画像領域サイズ１３ｇから拡縮比率１３ｐを計算する。
拡縮比率１３ｐ＝送信画像サイズ１３ｍ（縦）［ｙ２］
÷１コマ画像領域サイズ１３ｇ（横）［Ｙ］・・・（１２）
【００９４】
ＣＰＵ１１は、拡縮比率１３ｐの演算後、式（１）〜（３）で算出した画像間隔、トリム幅、文字サイズを再計算し、これらのデータを用いて実寸テンプレートデータ１３ｑを作成する（ステップＳ１１７）。より具体的には、次のような処理を行う。
【００９５】
先ず、式（１３）〜（１５）を計算する。
画像間隔ＳＰ＝画像間隔［実寸値］×拡縮比率１３ｐ          ・・・（１３）
トリム幅Ｗ＝トリム幅［実寸値］×拡縮比率１３ｐ            ・・・（１４）
文字サイズＣＳ（縦）＝文字サイズ［実寸値］×拡縮比率１３ｐ・・・（１５）
【００９６】
上述した第１実施形態では、画像間隔、トリム幅及び文字サイズのピクセル数を算出していたが、第２実施形態では、医用画像データの画像サイズに基づいて調整した画像間隔、トリム幅及び文字サイズの実寸値（長さ）を算出することとなる。尚、画像間隔及びトリム幅が“１”よりも小さくなってしまった場合は、固定的に“１”に設定してもよい。
【００９７】
次に、式（１６）及び（１７）を用いて、文字描画領域ＡＲ２の実寸値を算出する。
文字描画領域ＡＲ２（縦）
＝文字サイズ（高さ）［実寸値］×文字行数      ・・・（１６）
文字描画領域ＡＲ２（横）＝最大出力サイズ１３ａ（横）・・・（１７）
【００９８】
続いて、式（１８）〜（２０）を用いて、文字描画領域ＡＲ２の各行に描画可能な文字数である出力可能文字数と、実寸テンプレートデータ１３ｑの実寸値の寸法（実寸テンプレートサイズ）を算出する。実寸テンプレートデータ１３ｑとは、受信した医用画像データを略実寸のまま埋め込んだテンプレート画像である。
【００９９】
出力可能文字数＝文字描画領域（横）÷文字サイズ（幅）・・・（１８）
実寸テンプレートサイズ（横）
＝（１コマ画像領域サイズ１３ｇ（横）×横コマ数）
＋（トリム幅Ｗ×２×横コマ数）
＋（画像間隔ＳＰ×（横コマ数−１））  ・・・（１９）
実寸テンプレートサイズ（縦）
＝（１コマ画像領域サイズ１３ｇ（縦）×縦コマ数）
＋（トリム幅Ｗ×２×縦コマ数）
＋（画像間隔ＳＰ×（縦コマ数−１））
＋文字描画領域ＡＲ２（縦）            ・・・（２０）
【０１００】
このようにして、算出した実寸テンプレートサイズは、フィルムの最大出力サイズ１３ａを、医療画像データの画像サイズに合わせて拡縮したものである。ＣＰＵ１１は、この実寸テンプレートサイズの寸法で実寸テンプレートデータ１３ｑの大きさを設定する。
【０１０１】
そして、患者情報１３ｄを画像データに変換する（ステップＳ１１９）。次いで、医用画像テーブル３２に記憶されている医用画像データを、拡縮比率１３ｐで縦方向に調整して、実寸テンプレートデータ１３ｑ内に画像変換した患者情報１３ｄと共に、実寸テンプレートデータ１３ｑ内に埋め込む（ステップＳ１２１）。
【０１０２】
ＣＰＵ１１は、作成した実寸テンプレートデータ１３ｑをフィルム出力装置へ送信した後に（ステップＳ１２３）、第２医用画像転送処理を終了する。尚、ＣＰＵ１１のステップＳ１１７〜Ｓ１２１の処理によって、第２のサイズ設定手段、拡縮手段、画像加工手段及び加工画像合成手段が実現され、ステップＳ１２３によって第２のサイズ設定時転送手段が実現される。
【０１０３】
一方、フィルム出力装置は、変換装置Ｇ１から送信される実寸テンプレートデータを受信して（ステップＳ２１１）、その受信した実寸テンプレートデータをフィルムの最大出力サイズに合わせて拡大する（ステップＳ２１３）。そして、拡大した実寸テンプレートデータに基づく画像をフィルム上に画像形成して出力する。
【０１０４】
以上、第２実施形態によれば、変換装置Ｇ１が送信する実寸テンプレートデータ内に埋め込まれた医用画像データは、その横辺を固定して、フィルムに出力する際の１コマ画像領域サイズの縦横比に合わせて縦方向に調整したものとなる。従って、図１１のように、変換装置Ｇ１が送信する実寸テンプレートデータＴＤのデータ容量を、第１実施形態の最大出力サイズに合わせて拡縮したテンプレートデータよりも大幅に削減することができる。また、同図のように、実寸テンプレートデータを拡縮する画像処理をフィルム出力装置において行うことで、変換装置Ｇ１の処理が軽減される。
【０１０５】
また、変換装置Ｇ１は、第１実施形態のように医用画像を最大出力サイズに合わせて拡縮することなく、実寸テンプレートデータを作成する。このため、医用画像出力システム１における医用画像の拡大縮小は、フィルム出力装置側で処理することとなる。従って、変換装置Ｇ１がフィルム出力装置へ転送する実寸テンプレートデータを作成するまでの画像処理時間を削減することができる。尚、一般的な多くのフィルム出力装置が画像の拡大縮小機能を既に備えていることから、変換装置Ｇ１の画像処理時間を削減することで、医用画像出力システム１全体の処理時間の短縮も期待できる。更に、医用画像の拡縮をフィルム出力装置で行うことにより、医用画像の画質の劣化を軽減することができる。
【０１０６】
また、第１実施形態と同様に、医用画像データと患者情報とを合成して１つの画像データである実寸テンプレートデータ１３ｑ内に埋め込むため、フォーマット情報１３ｅに従って自由な医用画像のフォーマットが可能になる。また、図１１のように例えば、患者情報を大きめに変更したり、ユーザの好みに応じてその出力項目を変えたりでき、患者情報のレイアウトを自由に行える。
【０１０７】
尚、式（１２）において、拡縮比率１３ｐを受信画像サイズ１３ｎの横辺を基準として計算したが、送信画像サイズ１３ｍの縦辺が、受信画像サイズ１３ｎの縦辺よりも小さくなった場合、その拡縮比率１３ｐの算出までの計算過程を、受信画像サイズ１３ｎの縦辺を基準として行って、再計算することとしてもよい。この場合は、ステップＳ１２１における医用画像データの調整を横辺方向に行うこととなる。
【０１０８】
また、本実施形態において医用画像変換装置を、コントローラと変換装置によって構成するものとしたが、例えば、変換装置にコントローラの機能を備えるように構成してもよい。
【図面の簡単な説明】
【０１０９】
【図１】医用画像出力システムのシステム構成の一例を表すブロック図。
【図２】コントローラの機能構成の一例を示すブロック図。
【図３】医用画像のフォーマット例を示す図。
【図４】変換装置の機能構成の一例を示すブロック図。
【図５】第１実施形態における（ａ）は記憶装置のデータ構成、（ｂ）はメモリのデータ構成の一例を示す図。
【図６】テンプレートデータを説明するための図。
【図７】第１実施形態のおける変換装置の第１医用画像転送処理を説明するためのフローチャート。
【図８】第２実施形態における記憶装置のデータ構成の一例を示す図。
【図９】第２実施形態におけるメモリのデータ構成の一例を示す図。
【図１０】拡縮比率の算出方法を説明するための図。
【図１１】第２実施形態における変換装置とフィルム出力装置の動作の概要を説明するための図。
【図１２】第２実施形態における変換装置の第２医用画像転送処理を説明するためのフローチャート。
【図１３】（ａ）は医用画像の一例、（ｂ）は医用画像がフォーマットされたフィルムの一例を示す図。
【符号の説明】
【０１１０】
１００    医用画像出力システム
Ｍ１，Ｍ２    診断装置
Ｃ１，Ｃ２    コントローラ
６２ｃ      フォーマット情報
６４ｃ      フィルムサイズ
Ｇ１，Ｇ２    変換装置
１      制御部
１１      ＣＰＵ
１３      メモリ
１３ａ      最大画像サイズ
１３ｄ      患者情報
１３ｇ      １コマ画像領域サイズ
１３ｈ      テンプレートデータ
３      記憶装置
３２      医用画像テーブル
５      入力Ｉ／Ｆ部
７      電源部
Ｆ１，Ｆ２    フィルム出力装置
Ｓ            サーバ
ＡＲ１    画像描画領域
ＡＲ２    文字描画領域
１３ｐ    拡縮比率
【図１】
2006158647.tif 000003
【図２】
2006158647.tif 000004
【図３】
2006158647.tif 000005
【図４】
2006158647.tif 000006
【図５】
2006158647.tif 000007
【図６】
2006158647.tif 000008
【図７】
2006158647.tif 000009
【図８】
2006158647.tif 000010
【図９】
2006158647.tif 000011
【図１０】
2006158647.tif 000012
【図１１】
2006158647.tif 000013
【図１２】
2006158647.tif 000014
【図１３】
2006158647.tif 000015